(57)【要約】【課題】酸性水やアルカリ水を用途や目的に応じて最適な粒子径で浴室へ供給できるイオン水供給装置を提供する。【解決手段】イオン水供給機構に、貯水タンク（61）と、貯水タンク（61）に設けられる電極対（64,65）及び該電極対（64,65）に電圧を印加する電源部（70）を有する電極ユニット部（62）とを含み、貯水タンク（61）内の水を電気分解することにより酸性水及びアルカリ水を生成するイオン水生成器（60）と、酸性水を浴室へ噴霧する酸性水噴霧動作とアルカリ水を浴室へ噴霧するアルカリ水噴霧動作とを行う噴霧機構（90,95）とを設ける。噴霧機構（90,95）は、酸性水噴霧動作により噴霧される酸性水の粒子径よりも、アルカリ水噴霧動作により噴霧されるアルカリ水の粒子径を小さくするように構成されている。【選択図】図１
2012075963.tif 000002
【特許請求の範囲】
【請求項１】
貯水タンク（61）と、該貯水タンク（61）に設けられる電極対（64,65）及び該電極対（64,65）に電圧を印加する電源部（70）を有する電極ユニット部（62）とを含み、上記貯水タンク（61）内の水を電気分解することにより酸性水及びアルカリ水を生成するイオン水生成器（60）と、
上記酸性水を浴室へ噴霧する酸性水噴霧動作と上記アルカリ水を浴室へ噴霧するアルカリ水噴霧動作とを行う噴霧機構（90,95）とを備え、
上記噴霧機構（90,95）は、上記酸性水噴霧動作により噴霧される酸性水の粒子径よりも、上記アルカリ水噴霧動作により噴霧されるアルカリ水の粒子径を小さくするように構成されていることを特徴とするイオン水供給機構。
【請求項２】
請求項１において、
上記電源部（70）は、上記電極対（64,65）に直流電圧を印加する直流電源で構成され、
上記電極ユニット部（62）は、上記電極対（62）間に形成される電流経路にストリーマ放電を行うための放電場を形成し、該ストリーマ放電によって過酸化水素を生成するように構成されていることを特徴とするイオン水供給機構。
【請求項３】
請求項１又は２において、
上記貯水タンク（61）のうち酸性水が貯留される部分と連通する酸性水路（63a,63c）と、上記貯水タンク（61）のうちアルカリ水が貯留される部分と連通するアルカリ水路（63b,63d）とを含むイオン水路（63）と、
上記酸性水路（63a,63c）又はアルカリ水路（63b,63d）を選択的に開放する水路開閉機構（80）と、を備え、
上記噴霧機構（90）は、上記酸性水路（63c）の流出端及び上記アルカリ水路（63d）の流出端の双方と連通する１つの噴霧部（91）を含み、
上記噴霧部（91）は、上記水路開閉機構（80）により上記酸性水路（63c）が開放されている場合に行われる上記酸性水噴霧動作と、上記水路開閉機構（80）により上記アルカリ水路（63d）が開放されている場合に行われる上記アルカリ水噴霧動作とを切り替えて行うように構成されていることを特徴とするイオン水供給機構。
【請求項４】
請求項１又は２において、
上記貯水タンク（61）のうち酸性水が貯留される部分と連通する酸性水路（63a,63c）と、上記貯水タンク（61）のうちアルカリ水が貯留される部分と連通するアルカリ水路（63b,63d）とを有するイオン水路（63）を備え、
上記噴霧機構（95）は、
上記酸性水路（63c）の流出端と繋がり、上記酸性水噴霧動作を行う酸性水噴霧部（96a）と、
上記アルカリ水路（63d）の流出端と繋がり、上記アルカリ水噴霧動作を行うアルカリ水噴霧部（96b）と、を含むことを特徴とするイオン水供給機構。
【請求項５】
請求項１から４のうちいずれか１つにおいて、
流入端が上記貯水タンク（61）のうち酸性水が貯留される部分と連通する一方、流出端が浴槽（U1）と連通する酸性水供給路（52）を備えていることを特徴とするイオン水供給機構。
【発明の詳細な説明】
【技術分野】
【０００１】
本発明は、浴室へ酸性水又はアルカリ水を供給するためのイオン水供給機構に関する。
【背景技術】
【０００２】
従来より、洗浄効果を有するアルカリ水と、殺菌効果を有する酸性水とを使い分ける装置が知られている。この種の装置として、特許文献１には、電解槽と、電解槽で生成されるアルカリ水と酸性水との一方をミストノズルに供給するノズル通路とを備えるミストサウナ装置が開示されている。このミストサウナ装置によれば、目的に応じてアルカリ水又は酸性水を浴室に噴霧することができる。
【先行技術文献】
【特許文献】
【０００３】
【特許文献１】特開２００７−３３０４３５号公報
【発明の概要】
【発明が解決しようとする課題】
【０００４】
ところで、上述した酸性水やアルカリ水は、その用途や目的によって噴霧される最適な粒子径が異なる場合がある。にも拘わらず、従来のミストサウナ装置では、このような点について何ら考慮されていなかった。
【０００５】
本発明は、かかる点に鑑みてなされたものであり、その目的は、酸性水やアルカリ水を用途や目的に応じて最適な粒子径で浴室へ供給できるイオン水供給装置を提供することである。
【課題を解決するための手段】
【０００６】
第１の発明は、貯水タンク（61）と、該貯水タンク（61）に設けられる電極対（64,65）及び該電極対（64,65）に電圧を印加する電源部（70）を有する電極ユニット部（62）とを含み、上記貯水タンク（61）内の水を電気分解することにより酸性水及びアルカリ水を生成するイオン水生成器（60）と、上記酸性水を浴室へ噴霧する酸性水噴霧動作と上記アルカリ水を浴室へ噴霧するアルカリ水噴霧動作とを行う噴霧機構（90,95）とを備え、該噴霧機構（90,95）は、上記酸性水噴霧動作により噴霧される酸性水の粒子径よりも、上記アルカリ水噴霧動作により噴霧されるアルカリ水の粒子径を小さくするように構成されていることを特徴とする。
【０００７】
第１の発明では、貯水タンク（61）内の水は、電極対（64,65）及び電源部（70）を有する電極ユニット部（62）により電気分解されて、酸性水及びアルカリ水が生成される。この酸性水及びアルカリ水は、酸性水噴霧動作及びアルカリ水噴霧動作を行う噴霧機構（90,95）により、浴室に噴霧される。
【０００８】
ここで、第１の発明では、噴霧機構（90,95）は、酸性水を比較的大きな粒子径で噴霧する一方、アルカリ水を、上記酸性水よりも小さい粒子径で噴霧するように構成されている。酸性水の粒子径が大きくなると、浴室の壁や人体の皮膚表面に付着しやすくなる。一方、アルカリ水の粒子径が小さくなると、このアルカリ水は浴室内を浮遊して、人体の体内へ吸引されやすくなる。
【０００９】
第２の発明は、第１の発明において、上記電源部（70）は、上記電極対（64,65）に直流電圧を印加する直流電源で構成され、上記電極ユニット部（62）は、上記電極対（62）間に形成される電流経路にストリーマ放電を行うための放電場を形成し、該ストリーマ放電によって過酸化水素を生成するように構成されていることを特徴とする。
【００１０】
第２の発明では、直流電源から電極対（64,65）に直流電圧が印加される。これにより、貯水タンク（61）内でストリーマ放電が生起する。このストリーマ放電に伴って貯水タンク（61）内では、過酸化水素が生成される。過酸化水素は、比較的高温の条件下においても、水中に残留し易い。具体的に、過酸化水素は、水温が約４０℃以上の条件下で、約１時間経過したとしても、約４％程度の濃度しか分解されない。従って、本発明に係るイオン水生成器（60）により生成された、過酸化水素水を含む酸性水又はアルカリ水が、浴室に噴霧される温水（例えばミストノズルから噴霧される温水）に供給されても、過酸化水素によって水の殺菌・浄化を充分に行うことができる。また、水中では、ストリーマ放電の発生に伴い、水酸ラジカル等の活性種も生成される。このため、水中に含まれる有害物質は、活性種によって酸化分解されて除去される。
【００１１】
第３の発明は、第１又は第２の発明において、上記貯水タンク（61）のうち酸性水が貯留される部分と連通する酸性水路（63a,63c）と、上記貯水タンク（61）のうちアルカリ水が貯留される部分と連通するアルカリ水路（63b,63d）とを含むイオン水路（63）と、
上記酸性水路（63a,63c）又はアルカリ水路（63b,63d）を選択的に開放する水路開閉機構（80）と、を備え、上記噴霧機構（90）は、上記酸性水路（63c）の流出端及び上記アルカリ水路（63d）の流出端の双方と連通する１つの噴霧部（91）を含み、該噴霧部（91）は、上記水路開閉機構（80）により上記酸性水路（63c）が開放されている場合に行われる上記酸性水噴霧動作と、上記水路開閉機構（80）により上記アルカリ水路（63d）が開放されている場合に行われる上記アルカリ水噴霧動作とを切り替えて行うように構成されていることを特徴とする。
【００１２】
第３の発明では、噴霧機構（90）は、１つの噴霧部（91）を有している。具体的には、噴霧機構（90）は、酸性水噴霧動作及びアルカリ水噴霧動作の両方の動作を行う噴霧部（91）を有している。この噴霧部（91）は、水路開閉機構（80）により酸性水路（63c）が開放された場合、該酸性水路（63c）を通じた酸性水を噴霧する一方、水路開閉機構（80）によりアルカリ水路（63d）が開放された場合、該アルカリ水路（63d）を通じたアルカリ水を噴霧する。
【００１３】
第４の発明は、第１又は第２の発明において、上記貯水タンク（61）のうち酸性水が貯留される部分と連通する酸性水路（63a,63c）と、上記貯水タンク（61）のうちアルカリ水が貯留される部分と連通するアルカリ水路（63b,63d）とを有するイオン水路（63）を備え、上記噴霧機構（95）は、上記酸性水路（63c）の流出端と繋がり、上記酸性水噴霧動作を行う酸性水噴霧部（96a）と、上記アルカリ水路（63d）の流出端と繋がり、上記アルカリ水噴霧動作を行うアルカリ水噴霧部（96b）と、を含むことを特徴とする。
【００１４】
第４の発明では、噴霧機構（95）は、第３の発明とは異なり、２つの噴霧部（96a,96b）を含んでいる。具体的には、噴霧機構（95）は、酸性水噴霧動作を行う酸性水噴霧部（96a）と、アルカリ水噴霧動作を行うアルカリ水噴霧部（96b）とを含んでいる。酸性水噴霧部（96a）からは、酸性水路（63c）を通じた酸性水が噴霧され、アルカリ水噴霧部（96b）からは、アルカリ水路（63d）を通じたアルカリ水が噴霧される。
【００１５】
第５の発明は、第１から第４の発明のうちのいずれか１つにおいて、流入端が上記貯水タンク（61）のうち酸性水が貯留される部分と連通する一方、流出端が浴槽（U1）と連通する酸性水供給路（52）を備えていることを特徴とする。
【００１６】
第５の発明では、殺菌効果を有する酸性水が、酸性水供給路（52）を通じて浴槽へ供給される。
【発明の効果】
【００１７】
第１の発明によれば、酸性水は、比較的大きな粒子径となるように浴室内に噴霧される一方、アルカリ水は、酸性水よりも小さい粒子径となるように浴室内に噴霧される。これにより、酸性水は浴室の壁や人体の皮膚表面に付着し易くなるため、この酸性水を壁や皮膚表面の殺菌用途として利用できる。一方、アルカリ水は浴室内を浮遊して、体内に吸引されやすくなるため、このアルカリ水を人体の胃腸改善の用途として利用できる。
【００１８】
第２の発明によれば、過酸化水素を酸性水及びアルカリ水に添加できるため、浴室に噴霧される酸性水又はアルカリ水が例えば４０度以上の高温であっても、この酸性水及びアルカリ水を十分に除菌できる。
【００１９】
第３の発明によれば、酸性水噴霧動作及びアルカリ水噴霧動作を１つの噴霧部（91）で行える構成としたため、噴霧機構（90）を小型化することができる。
【００２０】
第４の発明によれば、酸性水のみを噴霧可能な酸性水噴霧部（96a）と、アルカリ水のみを噴霧可能なアルカリ水噴霧部（96b）とを設けたため、噴霧される酸性水又はアルカリ水の粒子径を変更するための機構を設ける必要がなくなる。従って、容易な構造で、酸性水及びアルカリ水を噴霧させることができる。
【００２１】
第５の発明によれば、殺菌効果を有する酸性水を浴槽（U1）へ供給できるため、浴槽（U1）を除菌して清潔に保つことができる。
【図面の簡単な説明】
【００２２】
【図１】図１は、実施形態１に係る給湯システムの全体構成を示す配管系統図である。
【図２】図２は、実施形態１に係るイオン水生成器の全体構成図であり、イオン水生成器が動作する前の状態を示すものである。
【図３】図３は、実施形態１に係る絶縁ケーシングの斜視図である。
【図４】図４は、実施形態１に係るイオン水生成器の全体構成図であり、イオン水生成器が動作して気泡が形成された状態を示すものである。
【図５】図５は、実施形態１の変形例に係るイオン水生成器の全体構成図である。
【図６】図６は、実施形態１の変形例に係る絶縁ケーシングの斜視図である。
【図７】図７は、実施形態２に係るイオン水生成器の全体構成図である。
【図８】図８は、実施形態２の変形例に係る電極ユニット部の全体構成図であり、電極ユニット部が動作する前の状態を示すものである。
【図９】図９は、実施形態２の変形例に係るイオン水生成器の全体構成図である。
【図１０】図１０は、実施形態２の変形例に係る電極ユニット部の全体構成図であり、電極ユニット部が動作して気泡が形成された状態を示すものである。
【図１１】図１１は、実施形態２の変形例において、複数の開口が形成された蓋部の平面図である。
【図１２】図１２は、その他の実施形態に係る給湯システムの全体構成を示す配管系統図である。
【図１３】図１３は、その他の実施形態に係る給湯システムの全体構成を示す配管系統図である。
【発明を実施するための形態】
【００２３】
以下、本発明の実施形態を図面に基づいて詳細に説明する。なお、以上の実施形態は、本質的に好ましい例示であって、本発明、その適用物、あるいはその用途の範囲を制限することを意図するものではない。
【００２４】
本実施形態は、本発明に係るイオン水供給機構（50）を備えた給湯システム（10）である。
【００２５】
《発明の実施形態１》
本発明の実施形態１に係る給湯システム（10）の全体構成について、図１を参照しながら説明する。給湯システム（10）は、浴槽（U1）やミストノズル（U2）へ温水を供給するシステムである。ミストノズル（U2）とは、温水をミスト状にして浴室へ噴霧するためのものである。このように温水を浴室内へ噴霧することにより、浴室をサウナとして利用することができる。ミストノズル（U2）は、浴室の天井に取り付けられている。
【００２６】
実施形態１に係る給湯システム（10）では、利用者が操作パネル（図示省略）等を操作することにより、浴槽（U1）やミストノズル（U2）に供給される温水を酸性又はアルカリ性にすることができる。給湯システム（10）は、いわゆるヒートポンプ式の給湯器であり、熱源ユニット（30）と給湯ユニット（40）とイオン水供給機構（50）とを有している。
【００２７】
熱源ユニット（30）は、圧縮機（31）と加熱熱交換器（32）と膨張弁（33）と室外熱交換器（34）とを備えている。熱源ユニット（30）では、圧縮機（31）、加熱熱交換器（32）、膨張弁（33）、及び室外熱交換器（34）が冷媒配管を介して順に接続され、閉回路となる冷媒回路（11）が構成される。冷媒回路（11）には、冷媒として二酸化炭素が充填されている。
【００２８】
加熱熱交換器（32）は、一次側伝熱部（32a）と二次側伝熱部（32b）とを有している。一次側伝熱部（32a）は、圧縮機（31）と膨張弁（33）との間の高圧ラインに接続されている。二次側伝熱部（32b）は、給湯ユニット（40）側の第１循環流路（13）に接続されている。加熱熱交換器（32）では、一次側伝熱部（32a）を流れる冷媒と、二次側伝熱部（32b）を流れる水とが熱交換する。熱源ユニット（30）では、二次側伝熱部（32b）を流れる水と比較すると、一次側伝熱部（32a）を流れる冷媒の方が温度が高くなる。このため、加熱熱交換器（32）では、一次側伝熱部（32a）を流れる冷媒の熱が、二次側伝熱部（32b）を流れる水へ付与される。つまり、二次側伝熱部（32b）は、第１循環流路（13）を流れる水を加熱する加熱部を構成している。室外熱交換器（34）の近傍には、ファン（35）が設けられている。室外熱交換器（34）では、その内部を流れる冷媒と、ファン（35）が送風する室外空気とが熱交換する。
【００２９】
冷媒回路（11）では、圧縮機（31）が運転されて冷媒が循環することで、蒸気圧縮式の冷凍サイクルが行われる。即ち、冷媒回路（11）では、圧縮機（31）で圧縮された冷媒が、一次側伝熱部（32a）で放熱し、膨張弁（33）で減圧される。減圧された冷媒は、室外熱交換器（34）で蒸発し、圧縮機（31）に吸入される。この冷凍サイクルは、冷媒としての二酸化炭素を臨界圧力以上まで圧縮する、いわゆる超臨界サイクルである。
【００３０】
給湯ユニット（40）は、給湯タンク（41）と内部熱交換器（42）とを備えている。
【００３１】
給湯タンク（41）は、縦長の円筒状の密閉容器で構成されている。給湯タンク（41）には、円筒形の周壁部（41a）と、周壁部（41a）の上側を閉塞する頂壁部（41b）と、周壁部（41a）の下側を閉塞する底壁部（41c）とが形成されている。給湯タンク（41）には、第１循環流路（13）と第２循環流路（14）と供給流路（15）とが接続されている。また、給湯タンク（41）には、該給湯タンク（41）内へ水道水を適宜補給する、給水路（20）も接続されている。給湯タンク（41）及び供給流路（15）は、浴槽（U1）及びミストノズル（U2）に温水を供給するための給湯回路（12）を構成している。
【００３２】
第１循環流路（13）の始端は、給湯タンク（41）の周壁部（41a）の下部に接続され、給湯タンク（41）内の底壁部（41c）寄りに開口している。第１循環流路（13）の終端は、給湯タンク（41）の周壁部（41a）の上部に接続され、給湯タンク（41）内の頂壁部（41b）寄りに開口している。第１循環流路（13）には、第１ポンプ（43）が設けられている。第１ポンプ（43）は、第１循環流路（13）の始端側から終端側の方向（図１の矢印で示す方向）へ水を搬送する搬送機構である。第１循環流路（13）には、第１ポンプ（43）の下流側に二次側伝熱部（32b）が接続されている。
【００３３】
第２循環流路（14）の始端は、給湯タンク（41）の周壁部（41a）の下部に接続され、給湯タンク（41）内の底壁部（41c）寄りに開口している。第２循環流路（14）の終端は、給湯タンク（41）の頂壁部（41b）に接続され、給湯タンク（41）内の頂壁部（41b）寄りに開口している。第２循環流路（14）には、第２ポンプ（44）が設けられている。第２ポンプ（44）は、第２循環流路（14）の始端側から終端側の方向（図１の矢印で示す方向）へ水を搬送する搬送機構である。第２循環流路（14）には、第２ポンプ（44）の下流側に内部熱交換器（42）の第１伝熱管（42a）が接続されている。
【００３４】
内部熱交換器（42）は、第１伝熱管（42a）と第２伝熱管（42b）とを有している。第１伝熱管（42a）は、第２循環流路（14）に接続されている。第２伝熱管（42b）は、供給流路（15）の第３循環流路（16）に接続されている。
【００３５】
供給流路（15）は、主供給路（17）、第１分岐路（18）、第２分岐路（19）、及び第３循環流路（16）を含んでいる。
【００３６】
主供給路（17）の始端は給湯タンク（41）の頂壁部（41b）に接続され、給湯タンク（41）内の頂壁部（41b）寄りに開口している。主供給路（17）の終端側は、第１分岐路（18）と第２分岐路（19）とに分岐している。主供給路（17）には、第３ポンプ（45）が設けられている。第３ポンプ（45）は、主供給路（17）の始端側から終端側の方向（図１の矢印で示す方向）へ水を搬送する搬送機構である。
【００３７】
第１分岐路（18）の終端は、第３循環流路（16）を介して浴槽（U1）と連通している。つまり、第１分岐路（18）は、浴槽（U1）側へ温水を供給するための浴槽側供給路を構成している。第１分岐路（18）には、第１開閉弁（46）が設けられている。第２分岐路（19）の終端は、ミストノズル（U2）と接続している。つまり、第２分岐路（19）は、ミストノズル（U2）へ温水を供給するミストノズル側供給路を構成している。第２分岐路（19）には、第２開閉弁（47）が設けられている。
【００３８】
第３循環流路（16）は、浴槽（U1）内の水を循環させる浴槽循環流路を構成している。第３循環流路（16）は、供給循環路（16a）と返送循環路（16b）とを有している。供給循環路（16a）の流出端は、浴槽（U1）の内部における上方寄りに開口している。返送循環路（16b）の流入端は、浴槽（U1）の内部における下方寄りに開口している。供給循環路（16a）には、第４ポンプ（48）が設けられている。第４ポンプ（48）は、主供給路（17）側の水、又は返送循環路（16b）側の水を浴槽（U1）内へ供給する搬送機構である。返送循環路（16b）には、内部熱交換器（42）の第２伝熱管（42b）が接続され、該第２伝熱管（42b）の下流側に第３開閉弁（49）が設けられている。
【００３９】
内部熱交換器（42）では、第１伝熱管（42a）を流れる水と、第２伝熱管（42b）を流れる水とが熱交換する。給湯ユニット（40）では、返送循環路（16b）を流れる水と比較すると、第２循環流路（14）を流れる水の温度の方が高くなる。このため、内部熱交換器（42）では、第１伝熱管（42a）を流れる水の熱が、第２伝熱管（42b）を流れる水へ付与される。つまり、第２伝熱管（42b）は、第３循環流路（16）を流れる水を加熱する加熱部を構成している。
【００４０】
〈イオン水供給機構の詳細構造〉
図１及び図２に示すように、給湯システム（10）は、イオン水供給機構（50）を備えている。イオン水供給機構（50）は、イオン水生成器（60）と、イオン水路（63）と、噴霧機構（90）と、イオン水供給路（52）とを備えている。
【００４１】
イオン水生成器（60）は、電気分解によって酸性水とアルカリ水とを生成するとともに、水中でのストリーマ放電によって過酸化水素等の浄化成分を生成して上記酸性水及びアルカリ水へ付与する。イオン水生成器（60）は、貯水タンク（61）と、電極ユニット部（62）と、を備えている。
【００４２】
貯水タンク（61）は、密閉型の容器状に形成されている。貯水タンク（61）の上部には、主供給路（17）から分岐する温水路（21）が繋がっている。貯水タンク（61）の下部には、主供給路（17）における第３ポンプ（45）の下流側の部分へと連通するイオン水路（63）が繋がっている。上記温水路（21）には、第５ポンプ（51）が設けられている。第５ポンプ（51）は、主供給路（17）を流れる温水を貯水タンク（61）内へ供給する搬送機構である。
【００４３】
貯水タンク（61）内の空間は、イオン交換膜（61a）によって第１室（S1）と第２室（S2）とに区画されている。イオン交換膜（61a）は垂直方向に延びるように配置されている。詳しくは後述するが、貯水タンク（61）内で行われる電気分解により、第１室（S1）では酸性水が生成され、第２室（S2）ではアルカリ水が生成される。従って、第１室（S1）には酸性水が貯留され、第２室（S2）では酸性水が貯留される。
【００４４】
電極ユニット部（62）は、電極対（64,65）と電源部（70）と絶縁ケーシング（71）とを備えている。
【００４５】
電極対（64,65）は、水中でストリーマ放電を生起するためのものであり、且つ、水中で電気分解を行って酸性水及びアルカリ水を生成するためのものである。電極対は、放電電極（64）及び対向電極（65）で構成されている。放電電極（64）は板状に形成され、例えばステンレス、銅等の導電性の金属材料で構成されている。放電電極（64）は、箱状に形成された絶縁ケーシング（71）の内部に収容された状態で、第１室（S1）に配置されている。対向電極（65）は、例えばステンレス、真鍮等の導電性の金属材料で構成されている。対向電極（65）は、放電電極（64）に対向するように第２室（S2）に配置されている。放電電極（64）及び対向電極（65）は、貯水タンク（61）の底部付近に配置される。
【００４６】
電源部（70）は、電極対（64,65）に所定の直流電圧を印加する直流電源で構成されている。即ち、電源部（70）は、電極対（64,65）に対して瞬時的に高電圧を繰り返し印加するようなパルス電源ではなく、電極対（64,65）に対して常に数キロボルトの直流電圧を印加する。電源部（70）の正極側に放電電極（64）が接続され、負極側に対向電極（65）が接続されている。又、上記電源部（70）の負極側はアースと接続されている。この電源部（70）には、電極対（64,65）の放電電力を一定に制御する定電力制御部が設けられている（図示省略）。
【００４７】
絶縁ケーシング（71）は、例えばセラミックス等の絶縁材料で構成されている。絶縁ケーシング（71）は、一面（右面）が開放された容器状のケース本体（72）と、該ケース本体（72）の右側方の開放部を閉塞する板状の蓋部（73）とを有している。
【００４８】
ケース本体（72）は、角形筒状の筒壁部（72a）と、該筒壁部（72a）の左側開口部を閉塞する左側壁部（72b）とを有している。放電電極（64）は、左側壁部（72b）の内面に敷設されている。絶縁ケーシング（71）では、蓋部（73）と左側壁部（72b）との間の上下方向の距離が、放電電極（64）の厚さよりも長くなっている。つまり、放電電極（64）と蓋部（73）との間には、所定の間隔が確保されている。これにより、絶縁ケーシング（71）の内部では、放電電極（64）とケース本体（72）と蓋部（73）との間に空間（S）が形成される。
【００４９】
図２及び図３に示すように、絶縁ケーシング（71）の蓋部（73）には、該蓋部（73）を厚さ方向に貫通する１つの開口（74）が形成されている。この開口（74）により、放電電極（64）と対向電極（65）との間の電界の形成が許容されている。この開口（74）は、図２に示すように、貯水タンク（61）の底部寄りに配置される。蓋部（73）の開口（74）の内径は、０．０２ｍｍ以上０．５ｍｍ以下であることが好ましい。以上のような開口（74）は、電極対（64,65）の間の電流経路の電流密度を上昇させる電流密度集中部を構成する。
【００５０】
以上のように、絶縁ケーシング（71）は、電極対（64,65）のうちの一方の電極（放電電極（64））のみを内部に収容し、且つ電流密度集中部としての開口（74）を有する絶縁部材を構成している。加えて、絶縁ケーシング（71）の開口（74）内では、電流経路の電流密度が上昇することで、水がジュール熱によって気化して気泡（B）が形成される。つまり、絶縁ケーシング（71）の開口（74）は、該開口（74）に気相部としての気泡（B）を形成する気相形成部として機能する。
【００５１】
イオン水路（63）は、貯水タンク（61）に貯留される酸性水又はアルカリ水を、浴槽（U1）やミストノズル（U2）へ供給するための水路である。イオン水路（63）は、酸性水が流れる２本の酸性水路（63a,63c）と、アルカリ水が流れる２本のアルカリ水路（63b,63d）とを含んでいる。酸性水路は、第１酸性水路（63a）及び第２酸性水路（63c）を含み、アルカリ水路は、第１アルカリ水路（63b）及び第２アルカリ水路（63d）を含んでいる。第１酸性水路（63a）は、貯水タンク（61）の第１室（S1）と主供給路（17）とを繋いでいる。第２酸性水路（63c）は、第１室（S1）と第２分岐路（19）とを繋いでいる。第１アルカリ水路（63b）は、貯水タンク（61）の第２室（S2）と主供給路（17）とを繋いでいる。第２アルカリ水路（63d）は、第２室（S2）と第２分岐路（19）とを繋いでいる。
【００５２】
噴霧機構（90）は、第２分岐路（19）を通じて供給される水を噴霧するためのものである。この噴霧機構（90）の構成については、詳しくは後述する。
【００５３】
イオン水供給路（52）は、第１分岐路（18）及び供給循環路（16a）を含んでいる。イオン水供給路（52）は、イオン水生成器（60）で生成された酸性水を浴槽（U1）へ導く酸性水供給路としての機能と、イオン水生成器（60）で生成されたアルカリ水を浴槽（U1）へ導くアルカリ水供給路としての機能とを有する。
【００５４】
〈水路開閉機構の詳細構造〉
給湯システム（10）は、水路開閉機構（80）を備えている。この水路開閉機構（80）は、貯水タンク（61）内で生成される酸性水又はアルカリ水を、選択的に主供給路（17）や第２分岐路（19）へ供給するためのものである。水路開閉機構（80）は、第１酸性水路開閉弁（81a）、第１アルカリ水路開閉弁（81b）、第２酸性水路開閉弁（81c）、第２アルカリ水路開閉弁（81d）、及び水路制御部（83）を備えている。
【００５５】
各水路開閉弁（81a,81b,81c,81d）は、例えば電磁弁で構成されている。第１酸性水路開閉弁（81a）は第１酸性水路（63a）に設けられ、第１アルカリ水路開閉弁（81b）は第１アルカリ水路（63b）に設けられ、第２酸性水路開閉弁（81c）は第２酸性水路（63c）に設けられ、第２アルカリ水路開閉弁（81d）は第２アルカリ水路（63d）に設けられている。上記各水路開閉弁（81a,81b,81c,81d）は、水路制御部（83）から送信される信号に応じて、該各水路開閉弁（81a,81b,81c,81d）が設けられた各水路（63a,63b,63c,63d）を全開にする開状態と、各水路（63a,63b,63c,63d）を全閉にする閉状態とに切り替えられる。
【００５６】
水路制御部（83）は、外部からの信号に基づいて、各水路開閉弁（81a,81b,81c,81d）を開状態又は閉状態にするためのものである。水路制御部（83）は、各水路開閉弁（81a,81b,81c,81d）が開状態となる信号を各水路開閉弁（81a,81b,81c,81d）へ送信するように構成されている。また、水路制御部（83）は、各水路開閉弁（81a,81b,81c,81d）が閉状態となる信号を各水路開閉弁（81a,81b,81c,81d）へ送信するように構成されている。
【００５７】
〈噴霧機構の詳細構造〉
噴霧機構（90）は、噴霧部（91）と、エアポンプ（92）と、空気圧制御部（93）を備えている。
【００５８】
噴霧部（91）は、ミストノズル（U2）に設けられていて、供給される水を浴室へ噴霧するためのものである。噴霧部（91）の内部には水流路が形成されている。第２分岐路（19）からの水は、噴霧部（91）の水流路を通じた後、噴霧部（91）の先端に形成された開口穴から外部へ放出される。
【００５９】
エアポンプ（92）は、噴霧部（91）の水流路に空気を圧送するためのものである。エアポンプ（92）により水流路に送り込まれた空気は、空気圧により水流路内を流れる水を微細化する。このようにして微細化された水は、噴霧部（91）の開口穴から噴霧される。エアポンプ（92）は、圧送する空気の圧力を変更可能なように構成されている。
【００６０】
空気圧制御部（93）は、エアポンプ（92）により圧送される空気の圧力を変更するためのものである。空気圧制御部（93）は、第２酸性水路（63c）が開状態となった場合、エアポンプ（92）から圧送される空気圧を所定の圧力（P1）にする信号をエアポンプ（92）へ送信するように構成されている。また、空気圧制御部（93）は、第２アルカリ水路（63d）が開状態となった場合、エアポンプ（92）から圧送される空気圧を上記所定の圧力（P1）よりも高い圧力（P2）にする信号をエアポンプ（92）へ送信するように構成されている。
【００６１】
−給湯システムの運転動作−
給湯システム（10）の基本的な運転動作について図１を参照しながら説明する。この給湯システム（10）では、浴槽内へ温水を供給する「給湯運転」と、浴槽内の水を循環させながら加熱する「追い炊き運転」とが行われる。
【００６２】
〈給湯運転〉
給湯運転では、熱源ユニット（30）の圧縮機（31）が運転され、冷媒回路（11）で冷凍サイクルが行われる。給湯ユニット（40）では、第１ポンプ（43）及び第３ポンプ（45）が運転され、第２ポンプ（44）及び第４ポンプ（48）が停止状態となる。また、第１開閉弁（46）、第２開閉弁（47）が開放状態となり、第３開閉弁（49）は閉鎖状態となる。
【００６３】
第１ポンプ（43）が運転されると、給湯タンク（41）内の水が第１循環流路（13）へ流出する。この水は、加熱熱交換器（32）の二次側伝熱部（32b）を流れる。加熱熱交換器（32）では、一次側伝熱部（32a）を流れる冷媒の熱が、二次側伝熱部（32b）を流れる水へ放出され、この水が所定温度まで加熱される。加熱された水は、第１循環流路（13）を経由して給湯タンク（41）内に流入する。これにより、給湯タンク（41）内部には、所定温度の温水が蓄えられる。
【００６４】
第３ポンプ（45）が運転されると、給湯タンク（41）内の水（温水）は、主供給路（17）に流出し、第１分岐路（18）と第２分岐路（19）とに分流する。第１分岐路（18）を流れた水は、第３循環流路（16）の供給循環路（16a）に流入する。この水は、貯水タンク（61）を通過した後、浴槽（U1）内へ放出される。これにより、浴槽（U1）内に所定温度の温水が供給される。一方、第２分岐路（19）を流れた水は、ミストノズル（U2）側に供給される。
【００６５】
〈追い炊き運転〉
追い炊き運転では、熱源ユニット（30）の圧縮機（31）が運転され、冷媒回路（11）で冷凍サイクルが行われる。給湯ユニット（40）では、第１ポンプ（43）、第２ポンプ（44）、及び第４ポンプ（48）が運転される。また、第１開閉弁（46）が閉鎖状態となり、第２開閉弁（47）及び第３開閉弁（49）が開放状態となる。
【００６６】
第１ポンプ（43）が運転されると、給湯タンク（41）内の水が第１循環流路（13）を流れる。これにより、第１循環流路（13）の水は、加熱熱交換器（32）で加熱されて給湯タンク（41）へ返送される。
【００６７】
第２ポンプ（44）が運転されると、給湯タンク（41）内の水は、第２循環流路（14）へ流出する。この水は、内部熱交換器（42）の第１伝熱管（42a）を流れる。内部熱交換器（42）では、第１伝熱管（42a）を流れる水の熱が、第２伝熱管（42b）を流れる水へ放出される。第１伝熱管（42a）で放熱した水は、第２循環流路（14）を経由して給湯タンク（41）内に流入する。
【００６８】
第４ポンプ（48）が運転されると、浴槽（U1）の水は第３循環流路（16）の返送循環路（16b）へ吸い込まれる。返送循環路（16b）を流れた水は、内部熱交換器（42）で加熱された後、貯水タンク（61）を通過して浴槽（U1）へ供給される。これにより、浴槽（U1）内の水の温度が徐々に高くなっていく。
【００６９】
−イオン水生成器の運転動作−
本実施形態の給湯システム（10）では、イオン水生成器（60）が運転されることで、貯水タンク（61）内で酸性水及びアルカリ水が生成されるとともに、給湯回路（12）を流れる水の浄化がなされる。
【００７０】
第５ポンプ（51）が運転されると、給湯タンク（41）内の水は、温水路（21）を通じて貯水タンク（61）へ流入する。この水が所定量に達し、上記絶縁ケーシング（71）の内の空間（S）が浸水した状態（図２を参照）になると、電極ユニット部（62）が作動する。この作動により、上記電源部（70）から電極対（64,65）へ所定の直流電圧（例えば１ｋＶ）が印加され、電極対（64,65）の間に電界が形成される。上述したように、上記放電電極（64）の周囲は、絶縁ケーシング（71）で覆われている。このため、電極対（64,65）の間での漏れ電流が抑制されとともに、上記絶縁ケーシング（71）における開口（74）内の電流経路の電流密度が上昇した状態となる。
【００７１】
上記絶縁ケーシング（71）における開口（74）内の電流密度が上昇すると、この開口（74）内のジュール熱が大きくなる。その結果、絶縁ケーシング（71）では、開口（74）の近傍において、水の気化が促進されて気泡（B）が形成される。この気泡（B）は、図４に示すように、開口（74）のほぼ全域を覆う状態となり、対向電極（65）に導通する負極側の水と、正極側の放電電極（64）との間に気泡（B）が介在する。従って、この状態では、気泡（B）が、放電電極（64）と対向電極（65）との間での水を介した導電を阻止する抵抗として機能する。これにより、放電電極（64）と対向電極（65）との間の漏れ電流が抑制され、電極対（64,65）間では、所望とする電位差が保たれることになる。すると、気泡（B）内では、絶縁破壊に伴いストリーマ放電が発生する。このストリーマ放電により、対向電極（65）に導通する水から、気泡（B）を介して、放電電極（64）に導通する水へ電子が移動する。このように、電子が対向電極（65）から放電電極（64）へ移動するため、貯水タンク（61）内の水中で電気分解が行われる。
【００７２】
上記対向電極では、次式（１）に示すような反応が行われる。この反応により、第２室（S2）内で水酸化物イオン（ＯＨ−）が生成される。その結果、ＰＨ（水素イオン指数）が上昇し、第２室（S2）内でアルカリ水が生成される。
【００７３】
４Ｈ２Ｏ＋４ｅ−  →  ２Ｈ２＋４ＯＨ−      （１）
一方、上記気泡（B）における気液界面の近傍では、次式（２）に示すような反応が行われる。この反応により、第１室（S1）内で水素イオン（Ｈ＋）が生成される。その結果、ＰＨ（水素イオン指数）が減少し、第１室（S1）内で酸性水が生成される。
【００７４】
２Ｈ２Ｏ  →  Ｏ２＋４Ｈ＋＋４ｅ−              （２）
また、以上のように気泡（B）でストリーマ放電が行われると、気泡（B）における気液界面の近傍（すなわち第１室（S1）内）では、水酸ラジカル等の活性種や過酸化水素等が生成される。これらの活性種や過酸化水素は、イオン交換膜（61a）の微細孔を通過して第２室（S2）にも拡散する。従って、第１室（S1）で形成される酸性水及び第２室（S2）で形成されるアルカリ水の双方に、上記活性種や過酸化水素が含まれることになる。
【００７５】
また、水酸ラジカル等の活性種や過酸化水素は、ストリーマ放電に伴う熱によって貯水タンク（61）内を対流する。これにより、水中での活性種や過酸化水素の拡散が促される。しかも、ストリーマ放電が行われる放電場としての気泡（B）は、貯水タンク（61）の底部寄りに形成されるため、ジュール熱により高温となる気泡（B）付近の水は、貯水タンク（61）の底部付近から上昇する一方、貯水タンク（61）内の水のうち上側にある比較的低温の水は、下方へ移動する。すなわち、貯水タンク（61）内の水は、上下方向において比較的広範囲に亘って対流するため、水中の活性種や過酸化水素の拡散を更に促すことができる。また、気泡（B）でストリーマ放電が行われると、このストリーマ放電に伴ってこの気泡（B）でイオン風を生成し易くなる。よって、貯水タンク（61）内では、このイオン風を利用して、活性種や過酸化水素の拡散効果を更に向上できる。
【００７６】
また、貯水タンク（61）には、温水路（21）からの温水が貯留されている。これにより、貯水タンク（61）内に比較的温度の低い水が貯留されるような場合と比べて、上記開口（74）における水の温度が上昇しやすくなる。その結果、気泡（B）が発生しやすくなるため、過酸化水素を効率的に生成することができる。
【００７７】
−水路開閉機構及び噴霧機構の運転動作−
水路開閉機構（80）を所定の状態に切り替えることにより、浴槽（U1）やミストノズル（U2）に、酸性水又はアルカリ水を供給することができる。
【００７８】
具体的には、浴槽（U1）及びミストノズル（U2）に酸性水を供給する場合、水路制御部（83）は、第１酸性水路（63a）を開状態にする信号を第１酸性水路開閉弁（81a）へ送信し、第２酸性水路（63c）を開状態にする信号を第２酸性水路開閉弁（81c）へ送信する。また、第１アルカリ水路（63b）を閉状態にする信号を第１アルカリ水路開閉弁（81b）へ送信し、第２アルカリ水路（63d）を閉状態にする信号を第２アルカリ水路開閉弁（81d）へ送信する。これにより、酸性水が第１分岐路（18）及び第２分岐路（19）へ供給される。この酸性水は、給湯システム（10）の給湯運転時に、浴槽（U1）やミストノズル（U2）へ供給される。従って、殺菌効果を有する酸性水で、浴槽（U1）、浴室の壁、人体の皮膚表面などを殺菌することができる。
【００７９】
上述のように酸性水がミストノズル（U2）へ供給される場合、噴霧機構（90）の空気圧制御部（93）は、エアポンプ（92）から圧送される空気を所定の圧力（P1）にする信号をエアポンプ（92）に送信する。これにより、噴霧部（91）内の水流路を流れる水が上記エアポンプ（92）からの空気により微細化される。その結果、噴霧機構（90）から、微細化されたミスト状の酸性水が噴霧される。この酸性水の粒子径は、１０μｍ以上の大きさとなる。
【００８０】
また、浴槽（U1）に酸性水を供給し且つミストノズルにアルカリ水を供給する場合、水路制御部（83）は、第１酸性水路（63a）を開状態にする信号を第１酸性水路開閉弁（81a）へ送信し、第２酸性水路（63c）を閉状態にする信号を第２酸性水路開閉弁（81c）へ送信する。また、第１アルカリ水路（63b）を閉状態にする信号を第１アルカリ水路開閉弁（81b）へ送信し、第２アルカリ水路（63d）を開状態にする信号を第２アルカリ水路開閉弁（81d）へ送信する。これにより、酸性水が浴槽（U1）へ供給される一方、アルカリ水がミストノズル（U2）へ供給される。従って、殺菌効果を有する酸性水を浴槽（U1）へ供給し、アルカリ水をミストノズルへ供給できる。
【００８１】
上述のようにアルカリ水がミストノズル（U2）へ供給される場合、噴霧機構（90）の空気圧制御部（93）は、エアポンプ（92）から圧送される空気を、酸性水がミストノズル（U2）へ供給される際の圧力（P1）よりも高い圧力（P2）にする信号をエアポンプ（92）に送信する。これにより、噴霧部（91）には比較的高い圧力（P2）の空気が流れ込むため、アルカリ水は酸性水よりも細かく微細化される。その結果、噴霧機構（90）から噴霧されるアルカリ水の粒子径は、酸性水よりも小さくなる。この粒子径は、酸性水の粒子径よりも小さい１０μｍ未満の大きさとなる。
【００８２】
上述のように、酸性水が噴霧機構（90）から噴霧される場合、酸性水はある程度の大きさの粒子径（１０μｍ以上）で噴霧されるため、浴室の壁や人体の皮膚表面に付着しやすくなる。酸性水は殺菌効果を有するため、浴室の壁や人体の皮膚表面が殺菌される。また、アルカリ水が噴霧機構（90）から噴霧される場合、アルカリ水は比較的小さい粒子径（１０μｍ未満）で噴霧されるため、このアルカリ水は、すぐには浴室の壁などに付着ぜず、浴室内を浮遊する。そうなると、アルカリ水は、呼吸の際に人体の体内へ吸引されやすくなる。アルカリ水は、飲用として体内へ取り込むと胃腸などを改善する効果を有するため、胃腸の改善がなされる。
【００８３】
また、浴槽（U1）やミストノズル（U2）に供給される上記酸性水やアルカリ水は、給湯運転により比較的高温の温水となっている。水道水には、殺菌効果を有する塩素や次亜塩素酸が含まれているものの、これらの塩素や次亜塩素酸は、例えば４０℃以上の高温下では分解され易い。そうなると、十分に殺菌されていない水が浴槽（U1）やミストノズル（U2）へ供給されてしまう虞が生じる。
【００８４】
これに対して、実施形態１では、浴槽（U1）やミストノズル（U2）へ供給される比較的温度の高い酸性水やアルカリ水には、過酸化水素が含まれている。過酸化水素は、例えば４０℃以上の条件下で、約１時間経過したとしても、約４％程度の濃度しか分解されない。従って、実施形態１における給湯システム（10）では、浴槽（U1）やミストノズル（U2）へ供給される水を十分に殺菌・浄化することができる。
【００８５】
また、実施形態１では、噴霧機構（90）に１つの噴霧部（91）を設け、噴霧部（91）に供給される水が酸性水かアルカリ水かによって噴霧される水の粒子径が切り替えられるため、ミストノズル（U2）に２つ以上の噴霧部を設ける必要がなくなる。従って、その分、噴霧機構（90）を簡素化できる。
【００８６】
また、実施形態１では、貯水タンク（61）で貯留される温水中でストリーマ放電が行われ、過酸化水素が生成される。この過酸化水素は、給湯回路（12）を通じて浴槽（U1）やミストノズル（U2）に供給される。過酸化水素は、高温条件下では菌に対する活性が高まるため、イオン水生成器（60）から浴槽（U1）やミストノズル（U2）へ通じる水路における温水の殺菌効果が向上する。
【００８７】
なお、第１酸性水路開閉弁（81a）を閉状態とし且つ第１アルカリ水路開閉弁（81b）を開状態とすることにより、浴槽（U1）へアルカリ水を供給することもできる。これにより、洗浄効果を有するアルカリ水を浴槽（U1）へ供給できるため、アルカリ水を浴槽（U1）の洗浄用途として用いることができる。
【００８８】
−実施形態１の効果−
実施形態１では、ミストノズル（U2）から噴霧される酸性水の粒子径を１０μｍ以上とする一方、噴霧部（91）から噴霧されるアルカリ水の粒子径を数μｍ程度とした。これにより、ミストノズル（U2）から噴霧される酸性水が浴室の壁や人体の皮膚表面に付着しやすくなるため、浴室の壁や人体の皮膚表面を効率的に殺菌できる。また、ミストノズル（U2）から噴霧されるアルカリ水が浴室内を浮遊するため、胃腸改善効果を有するアルカリ水を人体内に効率的に吸引できる。更に、浴槽（U2）にも酸性水とアルカリ水とを選択的に供給することができるので、殺菌効果を有する酸性水を浴槽（U2）へ供給して浴槽（U2）を殺菌したり、洗浄効果を有するアルカリ水を浴槽（U2）へ供給して浴槽（U2）を洗浄したりできる。
【００８９】
また、酸性水及びアルカリ水には、イオン水生成器（60）で生成された過酸化水素が含まれている。過酸化水素は、次亜塩素酸と比較して、水温が上昇しても分解されにくい。具体的に、過酸化水素であれば、水温が約４０℃の条件下で約１時間放置されても、約４％程度しか濃度が低下しない。このため、上記実施形態１では、ミストノズル（U2）から噴霧される酸性水又はアルカリ水の温度が高くとも、これらの酸性水又はアルカリ水を十分に殺菌できる。
【００９０】
また、実施形態１では、噴霧機構（90）に１つの噴霧部（91）を設け、噴霧部（91）に供給される水が酸性水かアルカリ水かによって噴霧される水の粒子径が切り替えられるため、噴霧機構（90）を小型化できる。
【００９１】
〈実施形態１の変形例〉
上記実施形態１では、絶縁ケーシング（71）の蓋部（73）に１つの開口（74）が形成されている。しかしながら、例えば図５及び図６に示すように、絶縁ケーシング（71）の蓋部（73）に複数の開口（74）を形成してもよい。この変形例では、絶縁ケーシング（71）の蓋部（73）が、略正方形板状に形成され、この蓋部（73）に複数の開口（74）が等間隔を置きながら碁盤目状に配列されている。一方、放電電極（64）及び対向電極（65）は、全ての開口（74）に跨るような正方形板状に形成されている。
【００９２】
この変形例においても、各開口（74）が、電流密度集中部、及び気相形成部として機能する。これにより、電源部（70）から電極対（64,65）に直流電圧が印加されると、各開口（74）の電流密度が上昇し、各開口（74）で気泡（B）が形成される。その結果、各気泡（B）でそれぞれストリーマ放電が生起され、水酸ラジカル等の活性種や、過酸化水素が生成される。
【００９３】
《発明の実施形態２》
実施形態２に係る給湯システム（10）は、上述した実施形態１と比べて、イオン水生成器（60）の構成が異なるものである。以下には、上記実施形態１と異なる点を主として説明する。
【００９４】
図７に示すように、実施形態２に係るイオン水生成器（60）には、ストリーマ放電を行って過酸化水素を生成するための２つの電極ユニット部（62）を設け、更に、電気分解を行って酸性水とアルカリ水とを生成するための電気分解ユニット部（85）を設けた。
【００９５】
電気分解ユニット部（85）は、陽極（86）及び陰極（87）で構成された電極対（86,87）と、陽極（86）と陰極（87）との間に電圧を印加する電源部（88）とを備えている。陽極（86）は第１室（S1）内に配置される一方、陰極（87）は第２室（S2）内に配置される。電源部（88）により陽極（86）と陰極（87）との間に電圧が印加されると、貯水タンク（61）内で電気分解が起こり、第１室（S1）内では酸性水が、第２室（S2）内ではアルカリ水が、それぞれ生成される。
【００９６】
２つの電極ユニット部（62）は、一方の電極ユニット部（62）が第１室（S1）に配置され、他方の電極ユニット部（62）が第２室（S2）に配置されている。つまり、第１室（S1）に配置された電極ユニット部（62）は、第１室（S1）内に貯留される酸性水中でストリーマ放電を行う。一方、第２室（S2）に配置された電極ユニット部（S2）は、第２室（S2）内に貯留されるアルカリ水内でストリーマ放電を行う。なお、第１室（S1）に配置される電極ユニット部（62）の電極対（64,65）間では電気分解が行われるため、放電電極（64）近傍では水素イオンが生成され、対向電極（65）近傍では水酸化物イオンが生成される。しかし、これらの水素イオン及び水酸化物イオンは、第１室（S1）内で拡散して中和されるため、第１室（S1）における酸性水の生成にはほとんど寄与しない。同様に、第２室（S2）に配置される電極ユニット部（62）でも電気分解が行われて水素イオン及び水酸化物イオンが生成されるが、これらは第２室（S2）におけるアルカリ水の生成にほとんど寄与しない。
【００９７】
実施形態２に係るイオン水生成器（60）では、電気分解ユニット部（85）によって、第１室（S1）内で酸性水が生成され、第２室（S2）内でアルカリ水が生成される。そして、第１室（S1）内に設けられた電極ユニット部（62）によって第１室（S1）内で過酸化水素が生成され、第２室（S2）内に設けられた電極ユニット部（62）によって第２室（S2）内で過酸化水素が生成される。これらの過酸化水素によって、浴槽（U1）やミストノズル（U2）に供給される温水が十分に殺菌・浄化される。
【００９８】
〈実施形態２の変形例〉
実施形態２の変形例は、上記実施形態２と、電極ユニット部の構成が異なるものである。以下には、上記実施形態２と異なる点を主として説明する。
【００９９】
図８に示すように、実施形態２の変形例における電極ユニット部（62）は、貯水タンク（61）の外側から内部に向かって挿入されて固定される、いわゆるフランジユニット式に構成されている。また、電極ユニット部（62）は、放電電極（64）と対向電極（65）と絶縁ケーシング（71）とが一体的に組立てられている。この電極ユニット部（62）は、図９に示すように、貯水タンク（61）における第１室（S1）側の底部と、第２室（S2）側の底部とに取り付けられている。
【０１００】
絶縁ケーシング（71）は、大略の外形が円筒状に形成されている。絶縁ケーシング（71）は、ケース本体（72）と蓋部（73）とを有している。
【０１０１】
ケース本体（72）は、ガラス質又は樹脂製の絶縁材料で構成されている。ケース本体（72）は、円筒状の基部（76）と、該基部（76）から貯水タンク（61）側に向かって突出する筒状壁部（77）と、該筒状壁部（77）の外縁部から更に貯水タンク（61）側に向かって突出する環状凸部（78）とを有している。また、ケース本体（72）には、環状凸部（78）の先端側に先端筒部（79）が一体に形成されている。基部（76）の軸心部には、円柱状の挿入口（76a）が軸方向に延びて貫通形成されている。筒状壁部（77）の内側には、挿入口（76a）と同軸となり、且つ挿入口（76a）よりも大径となる円柱状の空間（S）が形成されている。
【０１０２】
蓋部（73）は、略円板状に形成されて環状凸部（78）の内側に嵌合している。蓋部（73）は、セラミックス材料で構成されている。蓋部（73）の軸心には、実施形態１と同様、蓋部（73）を上下に貫通する円形状の１つの開口（74）が形成されている。
【０１０３】
放電電極（64）は、軸直角断面が円形状となる縦長の棒状の電極で構成されている。放電電極（64）は、基部（76）の挿入口（76a）に嵌合している。これにより、放電電極（64）は、絶縁ケーシング（71）の内部に収容されている。実施形態２の変形例では、放電電極（64）のうち貯水タンク（61）とは反対側の端部が、貯水タンク（61）の外部に露出される状態となる。このため、貯水タンク（61）の外部に配置される電源部（70）と、放電電極（64）とを電気配線によって容易に接続することができる。
【０１０４】
放電電極（64）のうち貯水タンク（61）側の端部（64a）は、絶縁ケーシング（71）の内部の空間（S）に臨んでいる。なお、図８に示す例では、放電電極（64）の端部（64a）が、挿入口（76a）の開口面よりも上側（貯水タンク（61）側）に突出しているが、この端部（64a）の先端面を挿入口（76a）の開口面と略面一としてもよいし、端部（64a）を挿入口（76a）の開口面よりも下側に陥没させてもよい。また、放電電極（64）は、実施形態１と同様、開口（74）を有する蓋部（73）との間に所定の間隔が確保されている。
【０１０５】
対向電極（65）は、円筒状の電極本体（65a）と、該電極本体（65a）から径方向外方へ突出する鍔部（65b）とを有している。電極本体（65a）は、絶縁ケーシング（71）のケース本体（72）に外嵌している。鍔部（65b）は、貯水タンク（61）の壁部に固定されて電極ユニット部（62）を保持する固定部を構成している。電極ユニット部（62）が貯水タンク（61）に固定された状態では、対向電極（65）の電極本体（65a）の一部が浸水された状態となる。
【０１０６】
対向電極（65）は、電極本体（65a）よりも小径の内側筒部（65c）と、該内側筒部（65c）と電極本体（65a）との間に亘って形成される連接部（65d）とを有している。内側筒部（65c）及び連接部（65d）は、貯水タンク（61）内の水中に浸漬している。内側筒部（65c）は、その内部に円柱空間（67）を形成している。内側筒部（65c）の軸方向の一端は、蓋部（73）と当接して該蓋部（73）を保持する保持部を構成している。また、電極本体（65a）と内側筒部（65c）と連接部（65d）の間には、ケース本体（72）の先端筒部（79）が内嵌している。内側筒部（65c）の軸方向の他端側には、円柱空間（67）を覆うようにメッシュ状の漏電防止材（68）が設けられている。この漏電防止材（68）は、対向電極（65）と接触することで、実質的にアースされている。これにより、漏電防止材（68）は、貯水タンク（61）の内部の空間（水中）のうち、円柱空間（67）の内側から外側への漏電を防止している。
【０１０７】
対向電極（65）は、電極本体（65a）の一部が貯水タンク（61）の外部に露出される状態となる。このため、電源部（70）と対向電極（65）とを電気配線によって容易に接続することができる。
【０１０８】
−イオン水生成器の運転動作−
実施形態２の変形例の給湯システム（10）においても、イオン水生成器（60）が運転されることで、給湯回路（12）を流れる水の浄化がなされる。
【０１０９】
イオン水生成器（60）の運転の開始時には、図８に示すように、２つの電極ユニット部（62）は、ともに絶縁ケーシング（71）の内の空間（S）が浸水した状態となっている。電源部（70）から電極対（64,65）に所定の直流電圧（例えば１ｋＶ）が印加されると、開口（74）の内部の電流密度が上昇していく。
【０１１０】
図８に示す状態から、電極対（64,65）へ更に直流電圧が継続して印加されると、図１０に示すように、開口（74）内の水が気化されて気泡（B）が形成される。この状態では、気泡（B）が開口（74）のほぼ全域を覆う状態となり、円柱空間（67）内の負極側の水と、放電電極（64）との間に気泡（B）による抵抗が付与される。これにより、放電電極（64）と対向電極（65）との間の電位差が保たれ、気泡（B）でストリーマ放電が発生する。その結果、第１室（S1）に設けられた電極ユニット部（62）は、第１室（S1）内に貯留される酸性水中で水酸ラジカルや過酸化水素を生成し、第２室（S2）に設けられた電極ユニット部（62）は、第２室（S2）内に貯留されるアルカリ水中で水酸ラジカルや過酸化水素を生成する。そして、これらの成分が水の浄化に利用される。
【０１１１】
なお、上記実施形態２の変形例において、円板状の蓋部（73）の軸心に１つの開口（74）を形成しているが、この蓋部（73）に複数の開口（74）を形成してもよい。図１１に示す例では、蓋部（73）の軸心を中心とする仮想ピッチ円上に、５つの開口（74）が等間隔置きに配列されている。このように蓋部（73）に複数の開口（74）を形成することで、各開口（74）の近傍でそれぞれストリーマ放電を生起させることができる。
【０１１２】
《その他の実施形態》
上述した実施形態１や２においては、以下のような他の構成とすることもできる。
【０１１３】
〈噴霧機構の構成〉
上記各実施形態では、噴霧機構（90）が１つの噴霧部（91）を備えるものとしたが、この限りでなく、例えば図１２に示すように、噴霧機構（95）が２つの噴霧部（96a,96b）を備えるものとしてもよい。具体的には、噴霧機構（95）は、酸性水を噴霧する酸性水噴霧部（96a）と、アルカリ水を噴霧するアルカリ水噴霧部（96b）とを備えている。酸性水噴霧部（96a）は、酸性水を１０μｍ以上の粒子径で噴霧するように構成され、アルカリ水噴霧部（96b）は、アルカリ水を１０μｍ未満の粒子径で噴霧するように構成されている。具体的には、酸性水噴霧部（96a）の噴霧口の口径を、酸性水を１０μｍ以上の粒子径で噴霧できるような所定の口径（D1）に設定し、アルカリ水噴霧部（96b）の噴霧口の口径を、アルカリ水を１０μｍ未満の粒子径で噴霧できるような、上記所定の口径（D1）よりも小さな口径（D2）に設定すればよい。他にも、酸性水噴霧部（96a）に所定の圧力（P1）の空気を圧送する第１エアポンプと、アルカリ水噴霧部（96b）に上記所定の空気圧（P1）よりも低い圧力（P2）の空気を圧送する第２エアポンプとを設けてもよい。そして、酸性水噴霧部（96a）には、第２酸性水路（63c）が繋がり、アルカリ水噴霧部（96b）には、第２アルカリ水路（63d）が繋がっている。このような構成により、上記各実施形態におけるエアポンプ（92）及び空気圧制御部（93）が不要になる。従って、その分、噴霧機構（95）の構成を容易にすることができる。
【０１１４】
〈給湯システムの構成〉
上記実施形態の給湯システム（10）を図１３に示すような、他の方式としてもよい。
【０１１５】
具体的に、図１３に示す例の給湯システム（10）は、加熱熱交換器（32）と第１ポンプ（43）とが、熱源ユニット（30）や給湯ユニット（40）と異なるユニット（ハイドロボックス（30a））に収容されている。また、この例では、給湯タンク（41）の内部に、コイル型熱交換器（13a）が収容されている。コイル型熱交換器（13a）は、給湯タンク（41）の底壁部（41c）寄りに配設されている。コイル型熱交換器（13a）では、熱媒体としての水が流れる伝熱管が、給湯タンク（41）の周壁部（41a）に沿うように螺旋状に形成されている。コイル型熱交換器（13a）は、一端が第１循環流路（13）の始端に接続し、他端が第１循環流路（13）の終端に接続している。
【０１１６】
図１３に示す給湯システム（10）では、加熱熱交換器（32）で加熱された水が、コイル型熱交換器（13a）を流れる。これにより、コイル型熱交換器（13a）の伝熱管を流れる水の熱が、伝熱管の外部へ放出される。その結果、給湯タンク（41）内に貯留された水が加熱され、温水が生成される。
【０１１７】
〈電極ユニット部の構成>
上述した各実施形態の電源部（70）には、ストリーマ放電の放電電力を一定に制御する定電力制御部を用いている。しかしながら、定電力制御部に代えて、ストリーマ放電時の放電電流を一定に制御する定電流制御部を設けることもできる。この定電流制御を行うと、水の導電率によらず放電が安定するため、スパークの発生も未然に回避できる。
【０１１８】
また、上述した各実施形態では、電源部（70）の正極に放電電極（64）を接続し、電源部（70）の負極に対向電極（65）を接続している。しかしながら、電源部（70）の負極に放電電極（64）を接続し、電源部（70）の正極に対向電極（65）を接続することで、電極対（64,65）の間で、いわゆるマイナス放電を行うようにしてもよい。
【０１１９】
〈イオン交換膜〉
上記各実施形態では、貯水タンク（61）内の空間を、イオン交換膜（61a）によって第１室（S1）と第２室（S2）とに区画しているが、この限りでなく、例えば、イオン交換膜（61a）の代わりに、板状に形成された絶縁性の仕切板を用いても良い。この場合、仕切板に、第１室（S1）と第２室（S2）とを連通させるための少なくとも１つの開口を設ければ良い。これにより、該開口を介して電極対（64,65）間に電流経路が形成されるため、ストリーマ放電や電気分解が行われる。更に、イオン交換膜（61a）や仕切板が設けられていなくても良い。イオン交換膜（61a）や仕切板を設けなくとも、陽極としての放電電極（64）付近では酸性水が生成され、陰極としての対向電極（65）付近ではアルカリ水が生成される。
【０１２０】
また、上記各実施形態では、酸性水及びアルカリ水に過酸化水素を添加するような構成としているが、この限りでなく、酸性水及びアルカリ水に過酸化水素が添加されないような構成であってもよい。例えば、実施形態１では、電極ユニット部（62）の電極対（64,65）間でストリーマ放電を行って水中に過酸化水素を発生させているが、電極ユニット部（62）を、電極対（64,65）間でストリーマ放電が発生しない構成としてもよい。更に、実施形態２及び実施形態２の変形例においては、２つ設けられている電極ユニット部（62）を設けなくてもよい。
【０１２１】
また、上記各実施形態では、噴霧機構（90）の噴霧部（91）をミストノズル（U2）に設けているが、この限りでなく、例えばシャワーに設けても良い。
【産業上の利用可能性】
【０１２２】
以上説明したように、本発明は、浴槽やミストノズルに酸性水やアルカリ水を供給する給湯システムに有用である。
【符号の説明】
【０１２３】
１０    給湯システム
５０    イオン水供給機構
５２    イオン水供給路（酸性水供給路）
６０    イオン水生成器
６１    貯水タンク
６２    電極ユニット部
６３    イオン水路
６３ａ，６３ｃ    酸性水路
６３ｂ，６３ｄ    アルカリ水路
６４    放電電極（電極対）
６５    対向電極（電極対）
７０    電源部
９０，９５    噴霧機構
９１    噴霧部
９６ａ    酸性水噴霧部
９６ｂ    アルカリ水噴霧部
【図１】
2012075963.tif 000003
【図２】
2012075963.tif 000004
【図３】
2012075963.tif 000005
【図４】
2012075963.tif 000006
【図５】
2012075963.tif 000007
【図６】
2012075963.tif 000008
【図７】
2012075963.tif 000009
【図８】
2012075963.tif 000010
【図９】
2012075963.tif 000011
【図１０】
2012075963.tif 000012
【図１１】
2012075963.tif 000013
【図１２】
2012075963.tif 000014
【図１３】
2012075963.tif 000015